(57)【要約】【課題】メダル回収管の屈曲を少なくすることが可能なメダル回収箱の底部材及びメダル回収箱を提供する。【解決手段】メダル回収箱８，４０，４１と着脱可能に構成された底部材１０は、枠体１２と底体１４とゴムシート３０とを備えている。枠体１２は、その平面の外形が最小のメダル回収箱４０の底部とほぼ同じで案内溝１８ａ，１８ｂが形成されている。底体１４は、枠体１２に形成された案内溝１８ａ，１８ｂに嵌入されて前後方向へ移動可能な複数の支持軸２２に軸装されている蛇腹シート２０と、メダル回収管５０を接続するための螺旋状の溝２４ｄが刻設されている筒状部２４ｃが形成され、且つ蛇腹シート２０に設けられているメダル回収口２４と、を有している。そして、ゴムシート３０は、その平面の外形が最大のメダル回収箱４１の底部とほぼ同じで枠体１２の上部に固定されている。【選択図】図１
2007061387.tif 000002
【特許請求の範囲】
【請求項１】
メダルを用いた遊技機内に設けられているメダル回収箱の本体に着脱可能な底部材であって、
前記底部材は、枠体と、底体と、を備え、
前記枠体の略中央部に略矩形の空間部が設けられ、
その空間部が設けられることによって形成された対向する２組の側面のうち、いずれか１組の側面に案内部が設けられており、
前記底体は、
前記枠体に設けられた略矩形の空間部を塞ぐことが可能な略矩形の蛇腹状のシートと、
前記蛇腹状のシートの略中央部に設けられ、メダル回収管を接続可能なメダル回収口と、を有し、
前記蛇腹状のシートは、
その蛇腹の折れ線と垂直な２つの端部の一部もしくは全部が前記枠体に設けられた前記案内部に案内され、摺動可能に配置されているとともに、
その蛇腹の折れ線と平行な２つの端部が、前記案内部が設けられた前記枠体の１組の側面とは別の１組の側面に固定されていることを特徴とするメダル回収箱の底部材。
【請求項２】
請求項１に記載のメダル回収箱の底部材において、
さらに、高摩擦抵抗を有する部材からなる載置部材を備え、
前記載置部材は、前記メダル回収箱の本体に前記底部材を装着した場合に前記メダル回収箱の本体に当接する前記枠体の面とその裏面とに相当する両部位、もしくは両部位の少なくともいずれか一方に固定されていることを特徴とするメダル回収箱の底部材。
【請求項３】
請求項２に記載のメダル回収箱の底部材において、
前記載置部材は、
柔軟性を有する部材からなり、
前記メダル回収箱の本体に前記底部材を装着した場合に前記メダル回収箱の本体に当接する前記枠体の面に相当する部位にのみ固定されているとともに、
その外形が前記メダル回収箱の本体に当接する前記枠体の面の外形よりも大きく形成されていることを特徴とするメダル回収箱の底部材。
【請求項４】
請求項１〜３のいずれかに記載のメダル回収箱の底部材において、
前記枠体に設けられた前記案内部は、案内溝を有しており、
前記蛇腹状のシートは、
その蛇腹の折れ線と垂直な２つの端部の一部もしくは全部が、前記枠体に設けられた前記案内部が有する前記案内溝に嵌入され、摺動可能に配置されていることを特徴とするメダル回収箱の底部材。
【請求項５】
請求項１〜３のいずれかに記載のメダル回収箱の底部材において、
前記枠体に設けられた前記案内部は、案内軸を有しており、
前記蛇腹状のシートは、その蛇腹の折れ線と垂直な２つの端部の一部もしくは全部に軸受け部を有しており、
前記蛇腹状のシートは、
その蛇腹の折れ線と垂直な２つの端部の一部もしくは全部に有する前記軸受け部が、前記枠体に設けられた前記案内部が有する前記案内軸に軸支され、摺動可能に配置されていることを特徴とするメダル回収箱の底部材。
【請求項６】
メダルを用いた遊技機内に設けられているメダル回収箱であって、
前記メダル回収箱は、底部と、底体と、側部と、開口部と、を備え、
前記底部の略中央部に略矩形の空間部が設けられ、
その空間部が設けられることによって形成された対向する２組の側面のうち、いずれか１組の側面に案内部が設けられており、
前記底体は、
前記底部に設けられた略矩形の空間部を塞ぐことが可能な略矩形の蛇腹状のシートと、
前記蛇腹状シートの略中央部に設けられ、メダル回収管を接続可能なメダル回収口と、を有し、
前記蛇腹状シートは、
その蛇腹の折れ線と垂直な２つの端部の一部もしくは全部が前記底部に設けられた前記案内部に案内され、摺動可能に配置されているとともに、
その蛇腹の折れ線と平行な２つの端部が、前記案内部が設けられた前記底部の１組の側面とは別の１組の側面に固定されていることを特徴とするメダル回収箱。
【請求項７】
請求項６に記載のメダル回収箱において、
前記底部に設けられた前記案内部は、案内溝を有しており、
前記蛇腹状のシートは、
その蛇腹の折れ線と垂直な２つの端部の一部もしくは全部が、前記底部に設けられた前記案内部が有する前記案内溝に嵌入され、摺動可能に配置されていることを特徴とするメダル回収箱。
【請求項８】
請求項６に記載のメダル回収箱において、
前記底部に設けられた前記案内部は、案内軸を有しており、
前記蛇腹状のシートは、その蛇腹の折れ線と垂直な２つの端部の一部もしくは全部に軸受け部を有しており、
前記蛇腹状のシートは、
その蛇腹の折れ線と垂直な２つの端部の一部もしくは全部に有する前記軸受け部が、前記底部に設けられた前記案内部が有する前記案内軸に軸支され、摺動可能に配置されていることを特徴とするメダル回収箱。
【発明の詳細な説明】
【技術分野】
【０００１】
本発明は、遊技機からあふれるメダルを回収するメダル回収箱の底部材及びメダル回収箱に関する。
【背景技術】
【０００２】
従来より、メダルを用いた遊技機例えばスロットマシンが知られている。このようなスロットマシンにおいては、スロットマシンの筐体内に設けられたメダル貯留用ホッパー内のメダルが一定量を超えると、あふれるメダルはメダル貯留用ホッパーの放出口から放出されていた。
【０００３】
そして、このようなスロットマシンがベルトコンベア式のメダル回収設備が無い遊技場に設置された場合、メダル貯留用ホッパーの放出口から放出されたメダルは、メダル貯留用ホッパーの放出口の下方に設けたメダル回収箱内に落下して収納されていた。また、このメダル回収箱に収納されたメダルは人手によって回収されていた。
【０００４】
一方、このようなスロットマシンがベルトコンベア式のメダル回収設備が有る遊技場に設置された場合、メダル貯留用ホッパーの放出口から放出されたメダルは、次のようにメダル回収箱を介して回収されていた。まず、メダル回収箱は、その底部を開口され、メダル貯留用ホッパーの放出口の下方に設置される。そして、スロットマシンの筐体は、その底板をメダル回収箱の底部に開口された穴に平面位置を合わせて開口される。また、スロットマシンの底板に開口された穴の下方には、メダル回収ベルトが設けられる。
【０００５】
そして、メダル貯留用ホッパーの放出口から放出されたメダルは、メダル回収箱内へ落下し、メダル回収箱の底部に開口された穴とスロットマシンの底板に開口された穴とを通ってメダル回収ベルトの上に落下して回収されていた。したがって、メダル回収箱の底部に開口された穴とスロットマシンの底板に開口された穴とが臨む平面位置にメダル回収ベルトが設けられていない場合、メダルはメダル回収ベルトに移送されず遊技場の床へ落下するおそれがある。
【０００６】
このような場合には、メダル回収箱の代わりに漏斗状のメダル受けを設ける。そして、このメダル受けに接続されるフレキシブルなメダル回収管の接続方法を次のように工夫する。つまり、メダル回収管の一端はこのメダル受けの下端の開口部に接続され、他端はスロットマシンの筐体の底板に開口された穴を通してメダル回収ベルトに臨ませる。
【０００７】
このように、スロットマシンがベルトコンベア式のメダル回収設備が有る遊技場に設置された場合、現状では底部を開口されたメダル回収箱は必ずしも使えず、設置現場で必要に応じてメダル受けを付け替えるようにしている。ところが、メダル受けは複数本の小ネジを用いてスロットマシンの筐体に組み付けるので、組み付け作業に時間がかかるとともに、作業スペースが限られ照明が十分でない現場では組み付け作業自体が困難な場合もある。また、設置現場で必要に応じてメダル受けを付け替えることは、コスト、部品管理、梱包などのあらゆる面で好ましくない。
【０００８】
そこで上記不都合を解消することを目的としてなされたものとして、メダル受けとしても使用できる共用型の余剰メダル貯留タンクのようなメダル回収箱がある（例えば特許文献１参照）。このメダル回収箱は、上方に開口し、底部にメダル回収管を接続可能なメダル回収口が形成されたメダル回収箱の本体と、このメダル回収箱の本体の内部に装入可能な蓋体とを組み合わせてなり、メダル回収箱の本体に、メダル回収口を塞ぐように蓋体を水平に保持する水平保持手段と、メダル回収箱の本体の中に落下してくるメダルをメダル回収口へ導くように蓋体を傾斜させて保持する傾斜保持手段とを設けている。
【０００９】
そして、スロットマシンがベルトコンベア式のメダル回収設備が有る遊技場に設置された場合、メダル回収箱は傾斜保持手段により蓋体を傾斜させて保持する状態で使用される。この場合、メダル貯留用ホッパーからメダル回収箱内に落下してくるメダルは蓋体によってメダル回収口へ導かれ、メダル回収口に接続したメダル回収管を通ってメダル回収ベルトの上まで移送される。
【特許文献１】特開２００５−２１２７２号公報（第３頁）
【発明の開示】
【発明が解決しようとする課題】
【００１０】
しかし、このようなメダル回収箱においては、メダル回収箱の本体の底部に形成されたメダル回収管を接続可能なメダル回収口が底部に対して固定された位置に形成されている。そのため、メダル回収口とメダル回収ベルトの平面位置が合わない場合にはメダル回収管を屈曲させて使用することになる。そして、メダル回収口とメダル回収ベルトの上下位置の距離に対してメダル回収口とメダル回収ベルトとの平面位置のズレ量（距離）が大きくなるほどメダル回収管の屈曲を大きくする必要がある。メダル回収管の屈曲を大きくすると、メダル回収管内部でメダルが詰まってしまったり、メダル回収管の下端部のメダル回収ベルトに対する傾斜角度が大きくなるため、移送されたメダルがメダル回収ベルトから飛び出てしまうおそれがあった。
【００１１】
本発明は、上記課題に鑑みなされたものであり、メダル回収管の屈曲を少なくすることが可能なメダル回収箱の底部材及びメダル回収箱を提供することを目的とする。
【課題を解決するための手段】
【００１２】
上記課題を解決するためになされた請求項１に記載のメダル回収箱（８，４０，４１：なお、この欄においては、発明に対する理解を容易にするため、必要に応じて「発明を実施するための最良の形態」欄において説明した構成要素を括弧内に示すが、この記載によって特許請求の範囲を限定することを意味するものではない。）の底部材（１０）は、枠体（１２）と、底体（１４）と、を備えている。枠体（１２）の略中央部に略矩形の空間部（１６）が設けられ、その空間部（１６）が設けられることによって形成された対向する２組の側面のうち、いずれか１組の側面に案内部（１８ａ，１８ｂ）が設けられている。底体（１４）は、枠体（１２）に設けられた略矩形の空間部（１６）を塞ぐことが可能な略矩形の蛇腹状のシート（２０）を有している。また、底体（１４）は、この蛇腹状のシート（２０）の略中央部に設けられメダル回収管（５０）を接続可能なメダル回収口（２４）を有している。蛇腹状のシート（２０）は、その蛇腹の折れ線と垂直な２つの端部の一部（２２）もしくは全部が枠体（１２）に設けられた案内部（１８ａ，１８ｂ）に案内され、摺動可能に配置されている。また、蛇腹状シート（２０）は、その蛇腹の折れ線と平行な２つの端部が、案内部（１８ａ，１８ｂ）が設けられた枠体（１２）の１組の側面（以下、単に「案内面」とも称す）とは別の１組の側面（以下、単に「固定面」とも称す）に固定されている。
【００１３】
上述のように、本発明のメダル回収箱（８，４０，４１）の底部材（１０）は、メダルを用いた遊技機例えばスロットマシン（１，１ａ，１ｂ）に設けられているメダル回収箱（８，４０，４１）の本体に取り付けて使われる。すると、スロットマシンであふれたメダルを回収する場合にメダル回収箱（８，４０，４１）からメダル回収設備のべルトコンベアの上までの移送でメダルが詰まったり、移送されたメダルがベルトコンベアから飛び出したりすることすることを防止できる。
【００１４】
まず、底部材（１０）の底体（１４）が有するメダル回収口（２４）は、底体（１４）が有する蛇腹状のシート（２０）に設けられている。そして、蛇腹状のシート（２０）がその蛇腹の折れ線と垂直な２つの端部の一部（２２）もしくは全部が枠体（１２）に設けられた案内部（１８ａ，１８ｂ）に案内され、摺動可能に配置されている。よって、メダル回収口（２４）は、枠体（１２）に設けられた案内部（１８ａ，１８ｂ）の方向へ摺動できる。つまり、メダル回収管（５０）をメダル回収口（２４）に接続した場合には、メダル回収管（５０）が枠体（１２）の案内部（１８ａ，１８ｂ）を介して案内部（１８ａ，１８ｂ）の方向へ摺動できる。すなわち、メダル回収管（５０）の下端部とメダル回収ベルトとの平面位置のズレ量（距離）が大きくても、メダル回収管（５０）の下端部をメダル回収ベルトの位置に合わせて移動させることができる。換言すれば、メダル回収管（５０）の屈曲を少なくすることができるので、メダルがメダル回収管（５０）内部で詰まったり、メダル回収管（５０）から移送されたメダルがメダル回収ベルトから飛び出したりすることを防止できる。
【００１５】
また、請求項２に記載のように、メダル回収箱（８，４０，４１）の底部材（１０）は、さらに、次のような高摩擦抵抗を有する部材からなる載置部材（３０）を備えているとよい。つまり、載置部材（３０）は、メダル回収箱（８，４０，４１）の本体に底部材（１０）を装着した場合にメダル回収箱（８，４０，４１）の本体に当接する枠体（１２）の面（以下、単に「当接面」とも称す）とその裏面（以下、単に「裏面」とも称す）とに相当する両部位、もしくは両部位の少なくともいずれか一方に固定されている。
【００１６】
このように構成された本発明のメダル回収箱（８，４０，４１）の底部材（１０）によれば、例えば枠体（１２）の「当接面」に相当する部位に載置部材（３０）が固定された底部材（１０）は、次のような効果を奏する。すなわち、底部材（１０）を開口されたメダル回収箱（８，４０，４１）の本体に取り付ければ、メダル回収箱（８，４０，４１）の本体と底部材（１０）との平面位置の滑りを防止できる。つまり、メダル回収時にメダル回収箱（８，４０，４１）の本体と底部材（１０）との滑りによって、メダル回収箱（８，４０，４１）の本体と底部材（１０）との平面位置のズレ量（距離）が大きくなり、メダルが底部材（１０）からはみだしてスロットマシンの筐体（９，４２，４４）内に落下することを防止できる。
【００１７】
また、例えば枠体（１２）の「裏面」に相当する部位に載置部材（３０）が固定された底部材（１０）は、次のような効果を奏する。すなわち、底部材（１０）をスロットマシンの筐体の床板（９ａ，４２ａ，４４ａ）上に設置すれば、底部材（１０）とスロットマシンの筐体の床板との滑りを防止できる。つまり、メダル回収時に底部材（１０）とスロットマシンの筐体の床板との滑りによって、底部材（１０）を取り付けたメダル回収箱（８，４０，４１）の本体とメダル箱貯留用ホッパーとの平面位置のズレ量（距離）が大きくなり、メダル貯留用ホッパーの放出口から放出されたメダルがメダル回収箱（８，４０，４１）の本体内から外れて落下することを防止できる。
【００１８】
さて、例えばスロットマシンの筐体内に設けられているメダル回収箱（８，４０，４１）の大きさは、スロットマシンの機種によって相違している。そして、スロットマシンによっては、メダル回収箱（８，４０，４１）を設置する収納部には余分な空間が設けられていないものがある。したがって、例えば小さなメダル回収箱（４０）が設けられており、収納部には余分な空間が設けられていないスロットマシンの場合には、大きなメダル回収箱（４１）を設置しようとした場合には、収納できない。
【００１９】
また、例えば大きなメダル回収箱（４１）が設けられているスロットマシンに、小さなメダル回収箱（４０）を設置しようとした場合には、収納することはできる。しかし、メダル貯留用ホッパーの放出口から放出されたメダルを受けるメダル回収箱（４０）の平面位置が定まらず、メダルがメダル回収箱（４０）へ落下しないおそれがあった。そして、メダル回収箱（８，４０，４１）の大きさの相違は、メダル回収箱（８，４０，４１）の本体の底部についても、その大きさが相違している。したがって、メダル回収箱（８，４０，４１）の本体に着脱可能な底部材（１０）は、大きさの相違するメダル回収箱（８，４０，４１）の本体の底部に合わせて形成すると共用できない。
【００２０】
それに対して、請求項３に記載のように、載置部材（３０）を形成するとよい。すなわち、載置部材（３０）は、柔軟性を有する部材からなり、メダル回収箱（８，４０，４１）の本体に底部材（１０）を装着した場合にメダル回収箱（８，４０，４１）の本体に当接する枠体（１２）の面に相当する部位にのみ固定されている。また、載置部材（３０）は、その外形がメダル回収箱（８，４０，４１）の本体に当接する枠体（１２）の面の外形よりも大きく形成されている。
【００２１】
このように構成された本発明のメダル回収箱（８，４０，４１）の底部材（１０）によれば、スロットマシンの機種によって大きさの相違するメダル回収箱（８，４０，４１）の本体の底部にも対応して共用できる。つまり、底部材（１０）の枠体（１２）は、その外形が例えば大きさの相違するメダル回収箱（８，４０，４１）の本体の底部のうち最も小さい底部の外形に合わせて形成される。そして、枠体（１２）の「当接面」に着脱する面に相当する部位に設けられた高摩擦抵抗を有する載置部材（３０）は、その外形が例えば大きさの相違するメダル回収箱（８，４０，４１）の本体の底部のうち最も大きい底部の外形に合わせて形成される。
【００２２】
そのように構成すると、例えば最も小さい底部の外形を有するメダル回収箱（４０）の本体が設けられているスロットマシン（１ａ）に対して載置部材（３０）は、メダル回収箱（４０）の本体の底部からはみでる。しかし、この載置部材（３０）が、柔軟性を有する例えばゴムシートで形成されていれば、このはみでた部分は、メダル回収箱（４０）の本体側へ折り曲がるので、このスロットマシン（１ａ）にメダル回収箱（４０）を収納できる。
【００２３】
一方、例えば最も大きい底部の外形を有するメダル回収箱（４１）の本体が設けられているスロットマシン（１ｂ）に対して、枠体（１２）はメダル回収箱（８，４０，４１）の底部を塞ぐことができない。しかし、載置部材（３０）は、メダル回収箱（８，４０，４１）の本体の底部のうち最も大きい底部の外形を有するので、メダル回収箱（４１）の本体の底部を塞ぐことができる。したがって、本発明を適用したメダル回収箱（８，４０，４１）の底部材（１０）によれば、スロットマシンの機種によって相違するメダル回収箱（８，４０，４１）の本体の底部の大きさに対応して共用できる。
【００２４】
なお、上述したメダル回収箱（８，４０，４１）の底部材（１０）において、枠体（１２）に設けられている案内部（１８ａ，１８ｂ）は、請求項４に記載のように、案内溝（１８ａ，１８ｂ）を有しているとよい。そして、蛇腹状のシート（２０）は、その蛇腹の折れ線と垂直な２つの端部の一部（２２）もしくは全部が、枠体（１２）に設けられた案内部（１８ａ，１８ｂ）が有する案内溝（１８ａ，１８ｂ）に嵌入され、摺動可能に配置されているとよい。
【００２５】
このように構成された本発明のメダル回収箱（８，４０，４１）の底部材（１０）によれば、枠体（１２）に設けられている案内部（１８ａ，１８ｂ）は簡単な構造の案内溝（１８ａ，１８ｂ）を有しているので、枠体（１２）の「当接面」と「裏面」との距離を短くできる。つまり、枠体（１２）の厚さを短くできるので、底部材（１０）の厚さを短くできる。なお、スロットマシンによっては、メダル回収箱（８，４０，４１）を設置する収納部の上方には余分な空間が設けられていないものがある。したがって、底部材（１０）の厚さを短くできれば、多くのスロットマシンの筐体内に設けられたメダル回収箱（８，４０，４１）に装着できる。
【００２６】
また、上述したメダル回収箱（８，４０，４１）の底部材（１０）において、請求項５に記載のように、枠体（１２２）に設けられた案内部（１２８ａ，１２８ｂ）は、案内軸（１２９ａ，１２９ｂ）を有し、蛇腹状のシート（１３０）は、その蛇腹の折れ線と垂直な２つの端部の一部もしくは全部に軸受け部（１３２）を有しているとよい。そして、蛇腹状のシート（１３０）は、その蛇腹の折れ線と垂直な２つの端部の一部もしくは全部に有する軸受け部（１３２）が、枠体（１２２）に設けられた案内部（１２８ａ，１２８ｂ）が有する案内軸（１２９ａ，１２９ｂ）に軸支され、摺動可能に配置されているとよい。
【００２７】
このように構成された本発明のメダル回収箱（８，４０，４１）の底部材（１２０）によれば、蛇腹状のシート（１３０）は、枠体（１２）に設けられている案内部（１２８ａ，１２８ｂ）に有する案内軸（１２９ａ，１２９ｂ）によって案内軸（１２９ａ，１２９ｂ）と垂直な方向に、張架される。よって、蛇腹状のシート（１３０）は、それ自体に剛性を有していなくてもよく、メダル回収箱（８，４０，４１）に収納されるメダルの重量に耐えられる引張強度を有していればよい。つまり、蛇腹状のシート（１３０）は薄い材料例えば樹脂製もしくは布製のシート材やネット材のみで簡単に形成できる。そして、このように形成された蛇腹状のシート（１３０）は、折り畳んだ場合に折れ線に垂直な方向の厚さを短くできる。すなわち、メダル回収管（５０）が枠体（１２）の案内軸（１２９ａ，１２９ｂ）を介して案内軸（１２９ａ，１２９ｂ）の方向へ移動した場合には、メダル回収管（５０）と枠体（１２）の「固定面」との距離を短くできる。換言すれば、メダル回収管（５０）が枠体（１２）の案内軸（１２９ａ，１２９ｂ）を介して案内軸（１２９ａ，１２９ｂ）の方向へ移動した場合には、メダル回収管（５０）の移動量を大きくできる。
【００２８】
上述したメダル回収箱（８，４０，４１）の底部材（１０）は、メダル回収箱（８，４０，４１）の本体と着脱可能に構成されていたが、請求項６に記載のように、メダル回収箱（６０）の発明として考えることもできる。つまり、メダル回収箱（６０）は、請求項１〜請求項５に記載したメダル回収箱（８，４０，４１）の底部材（１０）と同じ効果を有する底部（６５）と側部（６２）とが一体に形成されているとよい。つまり、メダル回収箱（６０）は、底部（６５）と、底体（６４）と、側部（６２）と、開口部（６３）と、を備えている。底部（６５）の略中央部に略矩形の空間部（６６）が設けられ、その空間部（６６）が設けられることによって形成された対向する２組の側面のうち、いずれか１組の側面に案内部（６８ａ，６８ｂ）が設けられている。底体（６４）は、底部（６５）に設けられた略矩形の空間部（６６）を塞ぐことが可能な略矩形の蛇腹状のシート（７０）を有している。また、底体（６４）は、この蛇腹状のシート（７０）の略中央部に設けられ、メダル回収管（５０）を接続可能なメダル回収口（７４）を有している。蛇腹状のシート（７０）は、その蛇腹の折れ線と垂直な２つの端部の一部（７２）もしくは全部が底部（６５）に設けられた案内部（６８ａ，６８ｂ）に案内され、摺動可能に配置されている。また、蛇腹状のシート（７０）は、その蛇腹の折れ線と平行な２つの端部が、案内部（６８ａ，６８ｂ）が設けられた底部（６５）の１組の側面とは別の１組の側面に固定されている。
【００２９】
このように構成された本発明のメダル回収箱（６０）によれば、スロットマシンの機種によって収納できるメダル回収箱（６０）の大きさが相違してもよい場合、メダル回収箱（６０）はメダル回収箱（８，４０，４１）の底部材（１０）と同じ効果を有する底部（６５）と側部（６２）とが一体に形成できる。また、メダル回収箱（８，４０，４１）に底部材（１０）を着脱する手間を省くことができる。
【００３０】
なお、上述したメダル回収箱（６０）において、底部（６５）に設けられている案内部（６８ａ，６８ｂ）は、請求項７に記載のように、案内溝（６８ａ，６８ｂ）を有しているとよい。そして、蛇腹状のシート（７０）は、その蛇腹の折れ線と垂直な２つの端部の一部（７２）もしくは全部が、底部（６５）に設けられた案内部（６８ａ，６８ｂ）が有する案内溝（６８ａ，６８ｂ）に嵌入され、摺動可能に配置されているとよい。
【００３１】
このように構成された本発明のメダル回収箱（６０）によれば、底部（６５）に設けられている案内部（６８ａ，６８ｂ）は簡単な構造の案内溝（６８ａ，６８ｂ）を有しているので、底部（６５）の内面と外面との距離を短くできる。つまり、底部（６５）の厚さを短くできる。なお、スロットマシンによっては、メダル回収箱（６０）を設置する収納部の上方には余分な空間が設けられていないものがある。したがって、底部（６５）の厚さを短くできれば、多くのスロットマシンの筐体内に設けられたメダル回収箱（６０）に装着できる。
【００３２】
また、上述したメダル回収箱（６０）において、底部（６５）に設けられている案内部（６８ａ，６８ｂ）は、請求項８に記載のように、案内軸を有し、蛇腹状のシートは、その蛇腹の折れ線と垂直な２つの端部の一部もしくは全部に軸受け部を有しているとよい。そして、蛇腹状のシートは、その蛇腹の折れ線と垂直な２つの端部の一部もしくは全部に有する軸受け部が、底部に設けられた案内部が有する案内軸に軸支され、摺動可能に配置されているとよい。
【００３３】
このように構成された本発明のメダル回収箱（６０）によれば、蛇腹状のシートは、底部に設けられている案内部に有する案内軸によって案内軸と垂直な方向に、張架される。よって、蛇腹状のシートは、それ自体に剛性を有していなくてもよく、メダル回収箱に収納されるメダルの重量に耐えられる引張強度を有していればよい。つまり、蛇腹状のシートは薄い材料例えば樹脂製もしくは布製のシート材やネット材のみで簡単に形成できる。そして、このように形成された蛇腹状のシートは、折り畳んだ場合に折れ線に垂直な方向の厚さを短くできる。すなわち、メダル回収管（５０）が底部の案内軸を介して案内軸の方向へ移動した場合には、メダル回収管（５０）と底部の「固定面」との距離を短くできる。換言すれば、メダル回収管（５０）が底部の案内軸を介して案内軸の方向へ移動した場合には、メダル回収管（５０）の移動量を大きくできる。
【発明を実施するための最良の形態】
【００３４】
以下に、本発明が適用された実施形態を図面とともに説明する。
［スロットマシン１の全体構成の説明］
図７（ａ）は、ベルトコンベア式のメダル回収設備が無い遊技場にスロットマシン１が設置された場合において、スロットマシン１の内部を概略的にその正面から見た図である。メダル投入口２にメダルを投入すると、これをメダル投入センサ３が検出してゲーム可能な状態になる。メダル投入センサ３を通過したメダルは、一時的にメダル貯留用ホッパー４に貯留される。３つの回転ドラム５の図柄組み合わせによるゲームに結果が入賞であると、入賞の種類に応じた枚数だけメダル貯留用ホッパー４内のメダルがメダル払出し装置６により払い出される。メダル投入口２から投入されるメダル数の方が入賞で払い出されるメダル数よりも多く、メダル貯留用ホッパー４内のメダルが一定量を超えると、あふれたメダルは放出口４ａよりメダル貯留用ホッパー４外へあふれ出る。あふれ出たメダルは、放出口４ａの下方に設けたメダル回収箱７に落下して収納される。そして、メダル回収箱７に回収されたメダルを人手で回収するようにしている。
【００３５】
図７（ｂ）は、ベルトコンベア式のメダル回収設備が有る遊技場にスロットマシン１が設置された場合において、スロットマシン１の内部を概略的にその正面から見た図である。メダル回収箱７の代わりに底部が開口されているメダル回収箱８を設け、このメダル回収箱８の下部に底部材１０を取り付ける。底部材１０の下部には後に詳述するようにメダル回収管５０の一端部が接続される。そして、メダル回収管５０の他端部はスロットマシン１の筐体９の底板９ａに開けた開口穴９ｂを通してスロットマシン１の下方に設置されたメダル回収ベルト５４に臨ませる。
【００３６】
これにより、メダル貯留用ホッパー４内からあふれたメダルは、メダル回収箱８及びメダル回収管５０を通ってメダル回収ベルト５４の上に移送され、このメダル回収ベルト５４によって、自動的に回収される。
【００３７】
［底部材１０の構成の説明］
図１（ａ）は本実施形態のメダル回収箱の底部材１０の外観を示す斜視図である。
底部材１０は、枠体１２と底体１４とゴムシート３０とを有している。ここで、便宜上長手方向を前後、これと直交する方向を左右とする。
【００３８】
図１（ｂ）は図１（ａ）のＡ−Ａ線における断面図であり、図１（ｃ）は図１（ａ）のＢ−Ｂ線における断面図である。
枠体１２は、その平面の外形が後述する最小のメダル回収箱４０の底部とほぼ同じで略矩形の形状をなし、その略矩形の外形にほぼ相似して、その略中央部に略矩形の空間部１６が形成され、剛性の高い材料例えば鉄製の板材からなっている。また、枠体１２に形成された空間部１６を除いた枠体１２の左右内縁には略コの字状の案内溝１８ａ，１８ｂが形成され、前後内縁には略コの字状の溝部１８ｃ，１８ｄが形成されている。
【００３９】
底体１４は、蛇腹シート２０とメダル回収口２４とを有している。
この蛇腹シート２０は、柔軟な材料例えば樹脂製もしくは布製のシート材やネット材からなり、蛇腹状で折りたたみ可能に形成されている。そして、蛇腹シート２０は、蛇腹状の折れ線が枠体１２の前後内縁に平行になるように配置されるが、蛇腹シート２０の左右の長さは、枠体１２に形成された空間部１６の左右の長さとほぼ同じで、蛇腹シート２０の左右端と枠体１２の左右内縁との間からメダルが通過できないように形成されている。また、蛇腹シート２０は略中央部に略円形の開口穴２０ａが形成され、前後方向にほぼ一定の間隔で複数の支持軸２２に軸装されている。
【００４０】
この複数の支持軸２２の両端部は枠体１２に形成された案内溝１８ａ，１８ｂに嵌入されて、前後方向に移動可能な軸径に形成され、剛性の高い材料例えば鉄製の軸材からなっている。また、蛇腹シート２０の前後の端部２０ｂ，２０ｃは、枠体１２に形成された略コの字状の溝部１８ｃ，１８ｄに例えば接着剤によって固定されている。そして、蛇腹シート２０の前後の長さは、蛇腹シート２０に形成された開口穴２０ａが枠体１２に対して前後に移動する量に応じた長さに形成されている。
【００４１】
メダル回収口２４は、フランジ付きの略円筒形で、蛇腹シート２０に形成された略円形の開口穴２０ａの内径とほぼ同じ内径の筒穴２４ａが形成され、剛性を有する材料例えば樹脂製の材料からなる。そして、メダル回収口２４の筒穴２４ａを蛇腹シ−ト２０の開口穴２０ａにほぼ合わせ、メダル回収口２４のフランジ部２４ｂが蛇腹シート２０に例えば接着剤によって接合されている。メダル回収口２４の下方には筒状部２４ｃが形成され、その内周面に後述するメダル回収管５０を接続するための螺旋状の溝２４ｄが刻設されている。なお、メダル回収口２４の螺旋状の溝２４ｄは、この螺旋状の溝２４ｄにメダル回収管５０を接続した場合、メダル回収管５０の内径がメダル回収口２４に形成された筒穴２４ａの内径より若干大きくなるように形成されている。ここでは、底体１４が有する蛇腹シート２０とメダル回収口２４とは、別部材であったが、これには限らない。底体１４が有する蛇腹シート２０とメダル回収口２４とが一体に形成されていてもよい。
【００４２】
ゴムシート３０は、その平面の外形が後述する最大のメダル回収箱４１の底部とほぼ同じで略矩形の形状をなし、その略矩形の外形にほぼ相似して、その略中央部に枠体１２の空間部１６とほぼ同じ大きさの矩形穴３０ａが形成されている。また、ゴムシート３０は、高摩擦抵抗を有し柔軟な材料例えばウレタンゴム製のシート材からなり、この矩形穴３０ａを枠体１２の空間部１６にほぼ合わせて枠体１２の上部に例えば接着剤によって固定されている。
【００４３】
さて、蛇腹シート２０を軸装している複数の支持軸２２は、枠体１２に形成された案内溝１８ａ，１８ｂに嵌入されて前後方向へ移動可能に形成されていたが、これには限らない。蛇腹シート２０を軸装している複数の支持軸はその両端部が凹状例えば略Ｕ字状に折り返して曲げられて形成され、枠体１２は案内溝１８ａ，１８ｂの代わりに凸状の案内突部が形成され、枠体１２に形成された凸状の案内突部は、略Ｕ字状に折り返して曲げられて形成された支持軸の両端部に嵌入されて前後方向へ移動可能に形成されてもよい。
【００４４】
なお、本実施形態においては、ゴムシート３０が載置部材に該当し、蛇腹シート２０と支持軸２２とが蛇腹状のシートに該当する。
［使用方法の説明］
ベルトコンベア式のメダル回収設備が有る遊技場にスロットマシン１が設置された場合において、スロットマシン１に設けられている底部が開口されているメダル回収箱８の下部に底部材１０を取り付けることは、上述の［スロットマシン１の全体構成の説明］欄にて概略説明した。
【００４５】
次に、図２（ａ），（ｂ）に基づいて最小のメダル回収箱４０（以下、単にメダル回収箱４０とも称す）に底部材１０を取り付ける方法を説明し、図３に基づいて最大のメダル回収箱４１（以下、単にメダル回収箱４１とも称す）に底部材１０を取り付ける方法を説明する。
【００４６】
図２（ａ）は、メダル回収箱４０と底部材１０とを設けたスロットマシン１ａをその正面から見た横断面図であり、図２（ｂ）は、図２（ａ）のＣ−Ｃ線における断面図である。なお、図２〜図７の図面中に記載した左右、前後の方向は便宜上スロットマシン１，１ａ及び後述するスロットマシン１ｂをその正面から見た幅方向を左右とし、これと直交する方向を前後とし、スロットマシン１，１ａ及び後述するスロットマシン１ｂの正面側を前とする。また、図１の図面中に便宜上記載した左右、前後の方向は図２〜図７の図面中に記載した左右、前後の方向と同じである。
【００４７】
メダル回収箱４０は、その底部を開口され、メダル貯留用ホッパー４（図２（ａ），（ｂ）には図示しない。図７（ｂ）参照）の放出口４ａ（図２（ａ），（ｂ）には図示しない。図７（ｂ）参照）の下方に設置されている。また、スロットマシン１ａの筐体４２には、その底板４２ａにメダル回収箱４０の底部に開口された穴に平面位置を合わせて開口穴４２ｂが形成されている。
【００４８】
そして、図２（ａ），（ｂ）に示すように、底部が開口されているメダル回収箱４０が設置されている位置に合わせて、メダル回収箱４０の下部に底部材１０を次のように取り付ける。まず、スロットマシン１ａの筐体４２の底板４２ａにメダル回収箱４０が設置されていた位置を記録する。例えばメダル回収箱４０の底部の周囲に沿って底板４２ａに油性ペンなどでマーキングする。そして、メダル回収箱４０を一旦取り外す。そして、底部材１０の底体１４に接合されているメダル回収口２４の筒状部２４ｃに刻設されている螺旋状の溝２４ｄにメダル回収管５０の一端部を挿入した状態で回転させて係合する。ここで、メダル回収管５０は、金属線を螺旋状に巻いてパイプ状にしたものである。そして、メダル回収管５０の下端部がスロットマシン１ａの筐体４２に形成された開口穴４２ｂを通ってメダル回収ベルト５４の両端に設置されているレール５２ａとレール５２ｂとの間に位置し、メダル回収ベルト５４に適切に位置するようにメダル回収口２４を枠体１２に対して前後方向に移動させて位置決めする。
【００４９】
なお、この場合メダル回収口２４の筒状部２４ｃがスロットマシン１ａの筐体４２に形成された開口穴４２ｂに挿入されていることを確認する。そして、メダル回収箱４０が設置されていた位置に合わせて、スロットマシン１ａの筐体４２の底板４２ａに記録された位置に、底部材１０の設置位置が合っていることを確認する。最後に、底部材１０のゴムシート３０からメダル回収箱４０の底部がはみでないように、メダル回収箱４０をゴムシート３０に密着させて設置する。なお、枠体１２に固定されているゴムシート３０の左端が内蔵装置４６の側部によってメダル回収箱４０の側部の方向に曲げられ、ゴムシート３０の右端がスロットマシン１ａの筐体４２内の右側部によってメダル回収箱４０の側部の方向に曲げられており、ゴムシート３０の左右端ともにメダル回収箱４０の下部に巻き込まれていないことを確認する。
【００５０】
一方、図３は、メダル回収箱４１と底部材１０とを設けたスロットマシン１ｂをその正面から見た横断面図である。
メダル回収箱４１は、その底部を開口され、メダル貯留用ホッパー４（図３には図示しない。図７（ｂ）参照）の放出口４ａ（図３には図示しない。図７（ｂ）参照）の下方に設置されている。また、スロットマシン１ｂの筐体４４には、その底板４４ａをメダル回収箱４１の底部に開口された穴に平面位置を合わせて開口穴４４ｂが形成されている。
【００５１】
そして、図３に示すように、底部が開口されているメダル回収箱４１が設置されている位置に合わせて、メダル回収箱４１の下部に底部材１０を取り付ける。メダル回収箱４１の下部に底部材１０を取り付ける方法は、上述したメダル回収箱４０の下部に底部材１０を取り付ける方法と同じである。そして取り付けの最後は、底部材１０のゴムシート３０からメダル回収箱４１の底部がはみでないように、メダル回収箱４０をゴムシート３０に密着させて設置する。
【００５２】
［効果の説明］
このような実施形態のスロットマシン１，１ａ，１ｂに設けられたメダル回収箱８，４０，４１に着脱可能に構成された底部材１０によれば、次のような効果を奏する。
【００５３】
すなわち、従来のメダル回収箱においては、メダル回収箱の本体の底部に形成されたメダル回収管を接続可能なメダル回収口が底部に対して固定された位置に形成されている。そのため、メダル回収口とメダル回収ベルトの平面位置が合わない場合にはメダル回収管を屈曲させて使用することになり、メダルがメダル回収管内部で詰まってしまったり、メダル回収ベルトから飛び出てしまうおそれがあった。
【００５４】
それに対して、このような実施形態の底部材１０は、メダル回収箱８，４０，４１と着脱可能に構成され、枠体１２と底体１４とゴムシート３０とを備えている。枠体１２は、その平面の外形が最小のメダル回収箱４０の底部とほぼ同じで案内溝１８ａ，１８ｂが形成されている。底体１４は、枠体１２に形成された案内溝１８ａ，１８ｂに嵌入されて前後方向へ移動可能な複数の支持軸２２に軸装されている蛇腹シート２０と、メダル回収管５０を接続するための螺旋状の溝２４ｄが刻設されている筒状部２４ｃが形成され、且つ蛇腹シート２０に設けられているメダル回収口２４と、を有している。そして、ゴムシート３０は、その平面の外形が最大のメダル回収箱４１の底部とほぼ同じで枠体１２の上部に固定されている。
【００５５】
（１）したがって、メダル回収口２４は、枠体１２に形成された２つの案内溝１８ａ，１８ｂの方向へ移動できる。つまり、メダル回収管５０をメダル回収口２４に接続した場合には、メダル回収管５０は枠体１２に形成された２つの案内溝１８ａ，１８ｂの方向へ移動できる。すなわち、メダル回収管５０の下端部とメダル回収ベルト５４との平面位置のズレ量（距離）が大きくても、メダル回収管５０の下端部をメダル回収ベルト５０の位置に合わせて移動させることができる。換言すれば、メダル回収管５０の屈曲を少なくするようにメダル回収管５０の下端部をメダル回収ベルト５０の位置に合わせて移動させることができるので、メダルがメダル回収管５０内部で詰まったり、メダル回収管から移送されたメダルがメダル回収ベルトから飛び出したりすることを防止できる。
【００５６】
（２）また、メダル回収箱８，４０，４１に着脱する枠体１２の上部に高摩擦抵抗を有するゴムシート３０を固定したので、メダル回収箱８，４０，４１と底部材１０との平面位置の滑りを防止できる。つまり、メダル回収時にメダル回収箱の本体と底部材との平面位置の滑りによって、メダル回収箱８，４０，４１の本体と底部材１０との平面位置のズレ量（距離）が大きくなり、メダルが底部材１０からはみだしてスロットマシン１，１ａ，１ｂの筐体内に落下することを防止できる。
【００５７】
（３）さらに、枠体１２の平面の外形が最小のメダル回収箱４０の底部の外形とほぼ同じで、ゴムシート３０の平面の外形が最大のメダル回収箱４１の底部の外形とほぼ同じなので、スロットマシン１ａ，１ｂの機種によって大きさの相違するメダル回収箱４０，４１にも対応して共用できる。
【００５８】
［他の実施形態］
以上、本発明の実施形態について説明したが、本発明は上記実施形態に限定されるものではなく、以下のような様々な態様にて実施することが可能である。
【００５９】
（１）他の実施形態１
上記実施形態の底部材１０において、底体１４が有している蛇腹シート２０は、柔軟な材料例えば樹脂製もしくは布製のシート材やネット材からなり、前後方向にほぼ一定の間隔で複数の支持軸２２に軸装されていたが、これには限らない。図５（ａ）に示す他の実施形態１のメダル回収箱の底部材８０のように、底体８４は、蛇腹シート２０の代わりに蛇腹板９１〜９６を有していてもよい。
【００６０】
具体的には、底部材８０は、枠体８２と底体８４とゴムシート１００とを有している。
枠体８２は、その平面の外形が上述したメダル回収箱４０の底部とほぼ同じで略矩形の形状をなし、図５（ａ）のＦ−Ｆ線における断面図である図５（ｂ）に示すようにその略矩形の外形にほぼ相似して、その略中央部に略矩形の空間部８６が形成され、剛性の高い材料例えば鉄製の板材からなっている。また、枠体８２に形成された空間部８６を除いた枠体８２の左右内縁には略コの字状の案内溝８８ａ，８８ｂが形成され、図５（ａ）のＧ−Ｇ線における断面図である図５（ｃ）に示すように前後内縁には略コの字状の溝部８８ｃ，８８ｄが形成されている。
【００６１】
底体８４は、蛇腹板９０〜９６とメダル回収口１０４とを有している。
蛇腹板９０〜９６は、それぞれが組み合わさって、枠体８２に形成された空間部８６を塞ぐことが可能な大きさで、それぞれが剛性の高い材料例えば鉄製の板材からなっている。なお、蛇腹板９０〜９６の左右端部は、枠体８２に形成された略コの字状の案内溝８８ａ，８８ｂに嵌入されて、前後方向に移動可能な形状に形成されている。
【００６２】
蛇腹板９０，９６はそれぞれの一端部が直角に曲がったフック部を有する略矩形の形状をなし、それぞれの他の端部９０ａ，９６ａは枠体８２に形成された略コの字状の溝部８８ｃ，８８ｄに例えば接着剤によって固定されている。蛇腹板９１，９２，９４，９５はそれぞれ対向する２端部が反対方向に直角に曲がったフック部を有する略矩形の形状をなしている。蛇腹板９３は対向する２端部が同じ方向に直角に曲がったフック部を有する略矩形の形状をなし、略中央部に略円形の開口穴９３ａが形成されている。そして、蛇腹板９０〜９６はそれぞれが有するフック部と係合可能に組み合わされている。例えば蛇腹板９０の一端部のフック部が蛇腹板９１の一端部に有するフック部と係合可能に組み合わされ、９１の他端部に有する前記一端部に有するフック部と反対方向に直角に曲がったフック部が蛇腹板９２の一端部に有するフック部と係合可能に組み合わされている。そして、蛇腹板９３を中心にして蛇腹板９０，９１，９２と蛇腹板９４，９５，９６とが対称に組み合わされている。したがって、蛇腹板９３が枠体８２に形成された案内溝８８ａ，８８ｂに沿って移動すると蛇腹板９１，９２，９４，９５も連れて移動する。そして、蛇腹板９０〜９６それぞれの前後方向の長さは、蛇腹板９３に形成された開口穴９３ａが枠体８２に対して前後に移動する量に応じた長さに形成されている。
【００６３】
メダル回収口１０４は、メダル回収口２４と同じ構造を有し、フランジ付きの略円筒形で、蛇腹板９３に形成された略円形の開口穴９３ａの内径とほぼ同じ内径の筒穴１０４ａが形成され、剛性を有する材料例えば樹脂製の材料からなる。そして、メダル回収口１０４の筒穴１０４ａを蛇腹板９３の開口穴９３ａにほぼ合わせ、メダル回収口１０４のフランジ部１０４ｂが蛇腹板９３に例えば接着剤によって接合されている。メダル回収口１０４の下方には筒状部１０４ｃが形成され、その内周面にメダル回収管（図示しない）を接続するための螺旋状の溝１０４ｄが刻設されている。なお、メダル回収口１０４の螺旋状の溝１０４ｄは、この螺旋状の溝１０４ｄにメダル回収管（図示しない）を接続した場合、メダル回収管（図示しない）の内径がメダル回収口１０４に形成された筒穴１０４ａの内径より若干大きくなるように形成されている。ここでは、蛇腹板９３とメダル回収口１０４とは、別部材であったが、これには限らない。蛇腹板９３とメダル回収口１０４とが一体に形成されていてもよい。
【００６４】
ゴムシート１００は、その平面の外形が上述した最大のメダル回収箱４１の底部とほぼ同じで略矩形の形状をなし、その略矩形の外形にほぼ相似して、その略中央部に枠体８２の空間部８６とほぼ同じ大きさの矩形穴１００ａが形成され、高摩擦抵抗を有し柔軟な材料例えばウレタンゴム製のシート材からなり、この矩形穴１００ａを枠体８２の空間部８６にほぼ合わせて枠体８２に例えば接着剤によって固定されている。
【００６５】
このような他の実施形態１の底部材８０によれば、上記実施形態と同様の効果を奏する。
なお、本他の実施形態１においては、ゴムシート１００が載置部材に該当し、蛇腹板９０〜９６が蛇腹状のシートに該当する。
【００６６】
（２）他の実施形態２
上記実施形態の底部材１０において、蛇腹シート２０を軸装している複数の支持軸２２は、枠体１２に形成された案内溝１８ａ，１８ｂに嵌入されて前後方向へ移動可能に形成されていたが、これには限らない。図６（ａ），（ｂ）に示す他の実施形態２のメダル回収箱の底部材１２０のように、蛇腹シート１３０を軸装している複数の支持軸１３２は、その両端部がフック状もしくはリング状に形成され、そのフック状もしくはリング状に形成された両端部が枠体１２２に設けられている案内溝１２８ａ，１２８ｂに設置された案内軸１２９ａ，１２９ｂに挿入され、前後方向へ移動可能に形成されてもよい。
【００６７】
具体的には、底部材１２０は、枠体１２２と底体１２４とゴムシート１４０とを有している。
枠体１２２は、その平面の外形が最小のメダル回収箱４０の底部とほぼ同じで略矩形の形状をなし、図６（ａ）のＨ−Ｈ線における断面図である図６（ｂ）に示すようにその略矩形の外形にほぼ相似して、その略中央部に略矩形の空間部１２６が形成され、剛性の高い材料例えば鉄製の板材からなっている。また、枠体１２２に形成された空間部１２６を除いた枠体１２２の左右内縁には略コの字状の案内溝１２８ａ，１２８ｂが形成され、図６（ａ）のＩ−Ｉ線における断面図である図６（ｃ）に示すように前後内縁には略コの字状の溝部１２８ｃ，１２８ｄが形成されている。さらに、枠体１２２の左右内縁に形成された略コの字状の案内溝１２８ａ，１２８ｂの略中央部に案内軸１２９ａ，１２９ｂが配置されている。
【００６８】
底体１２４は、蛇腹シート１３０とメダル回収口１３４とを有している。
この蛇腹シート１３０は、柔軟な材料例えば樹脂製もしくは布製のシート材やネット材からなり、蛇腹状で折りたたみ可能に形成されている。そして、蛇腹シート１３０は、蛇腹状の折れ線が枠体１２２の前後内縁に平行になるように配置されるが、蛇腹シート１３０の左右の長さは、枠体１２２に形成された空間部１２６の左右の長さとほぼ同じで、蛇腹シート１３０の左右端と枠体１２２の左右内縁との間からメダルが通過できないように形成されている。また、蛇腹シート１３０は略中央部に略円形の開口穴１３０ａが形成され、前後方向にほぼ一定の間隔で複数の支持軸１３２に軸装されている。この複数の支持軸１３２は、その両端部がフック状もしくはリング状に形成され、そのフック状もしくはリング状に形成された両端部が枠体１２２に設けられている案内溝１２８ａ，１２８ｂに設置された案内軸１２９ａ，１２９ｂに挿入され、前後方向へ移動可能に形成され、剛性の高い材料例えば鉄製の軸材からなっている。また、蛇腹シート１３０の前後の端部１３０ｂ，１３０ｃは、枠体１２２に形成された略コの字状の溝部１２８ｃ，１２８ｄに例えば接着剤によって固定されている。そして、蛇腹シート１３０の前後の長さは、蛇腹シート１３０に形成された開口穴１３０ａが枠体１２２に対して前後に移動する量に応じた長さに形成されている。
【００６９】
メダル回収口１３４は、メダル回収口２４と同じ構造を有し、フランジ付きの略円筒形で、蛇腹シート１３０に形成された略円形の開口穴１３０ａの内径とほぼ同じ内径の筒穴１３４ａが形成され、剛性を有する材料例えば樹脂製の材料からなる。そして、メダル回収口１３４の筒穴１３４ａを蛇腹シ−ト１３０の開口穴１３０ａにほぼ合わせ、メダル回収口１３４のフランジ部１３４ｂが蛇腹シート１３０に例えば接着剤によって接合されている。メダル回収口１３４の下方には筒状部１３４ｃが形成され、その内周面に後述するメダル回収管５０を接続するための螺旋状の溝１３４ｄが刻設されている。なお、メダル回収口１３４の螺旋状の溝１３４ｄは、この螺旋状の溝１３４ｄにメダル回収管５０を接続した場合、メダル回収管５０の内径がメダル回収口１３４に形成された筒穴１３４ａの内径より若干大きくなるように形成されている。ここでは、底体１２４が有する蛇腹シート１３０とメダル回収口１３４とは、別部材であったが、これには限らない。底体１２４が有する蛇腹シート１３０とメダル回収口１３４とが一体に形成されていてもよい。
【００７０】
ゴムシート１４０は、その平面の外形が最大のメダル回収箱４１の底部とほぼ同じで略矩形の形状をなし、その略矩形の外形にほぼ相似して、その略中央部に枠体１２２の空間部１２６とほぼ同じ大きさの矩形穴１４０ａが形成されている。また、ゴムシート１４０は、高摩擦抵抗を有し柔軟な材料例えばウレタンゴム製のシート材からなり、この矩形穴１４０ａを枠体１２２の空間部１２６にほぼ合わせて枠体１２２の上部に例えば接着剤によって固定されている。
【００７１】
このような他の実施形態２の底部材１２０によれば、蛇腹状のシート１３０は、枠体１２２に設けられている案内溝１２８ａ，１２８ｂに配置された案内軸１２９ａ，１２９ｂによって左右方向に、張架される。よって、蛇腹状のシート１３０と支持軸１３２とは、それ自体に剛性を有していなくてもよく、メダル回収箱８，４０，４１に収納されるメダルの重量に耐えられる引張強度を有していればよい。つまり、支持軸１３２の直径はメダル回収箱８，４０，４１に収納されるメダルの重量に耐えられる引張強度を有する限度まで短くできる。また、蛇腹状のシート１３０の引張強度がメダル回収箱８，４０，４１に収納されるメダルの重量に耐えられる引張強度を有していれば、支持軸１３２は、左右に２分割して蛇腹状のシート１３０の左右端部に取り付けてもよい。さらに、支持軸１３２を有さずに蛇腹シート１３０のみで、その左右端部が折り曲げられ筒状に形成され、その筒状に形成された左右端部が枠体１２２に設けられている案内溝１２８ａ，１２８ｂに設置された案内軸１２９ａ，１２９ｂに挿入されていてもよい。
【００７２】
このように蛇腹状のシート１３０を軸支するための支持軸１３２は、その直径を短くしたり、左右に２分割して蛇腹状のシート１３０の左右端部に取り付けたり、不要とすることもできる。したがって、蛇腹状のシート１３０は、折り畳んだ場合に折れ線に垂直な方向の厚さを短くできる。すなわち、メダル回収口１３４に接続されたメダル回収管５０と枠体１２２の前後内縁との距離を短くできる。換言すれば、メダル回収管５０が枠体１２２に設けられている案内溝１２８ａ，１２８ｂに設置された案内軸１２９ａ，１２９ｂの方向へ移動した場合には、メダル回収管５０の移動量を大きくできる。
【００７３】
なお、本他の実施形態２においては、ゴムシート１４０が載置部材に該当し、蛇腹シート１３０と支持軸１３２とが蛇腹状のシートに該当し、フック状もしくはリング状に形成された支持軸１３２の両端部が軸受け部に該当する。
【００７４】
（３）他の実施形態３
上記実施形態の底部材１０において、枠体１２の下部にはゴムシートを有していなかったが、これには限らない。枠体１２の下部に次のようなゴムシート（図示しない）を有していてもよい。
【００７５】
枠体１２の下部に有するゴムシートは、その平面の外形が枠体１２とほぼ同じで、略矩形の形状をなし、その略矩形の外形にほぼ相似して、その略中央部に枠体１２の空間部１６とほぼ同じ大きさの矩形穴（図示しない）が形成されている。また、このゴムシートは、高摩擦抵抗を有し柔軟な材料例えばウレタンゴム製のシート材からなる。そして、このゴムシートは、その矩形穴を枠体１２の空間部１６にほぼ合わせて枠体１２の下部に例えば接着剤によって固定されている。
【００７６】
このような他の実施形態３の底部材（図示しない）によれば、底部材と例えばスロットマシン１の筐体９の床板９ａとの平面方向の滑りを防止できる。つまり、メダル回収時に底部材とスロットマシン１の筐体９の床板９ａとの滑りによって、底部材を取り付けたメダル回収箱８とメダル箱貯留用ホッパー４の放出口４ａとの平面位置のズレ量（距離）が大きくなり、メダル貯留用ホッパー４の放出口４ａから放出されたメダルがメダル回収箱８内から外れて落下することを防止できる。
【００７７】
なお、本他の実施形態３においては、ゴムシート（図示しない）が載置部材に該当する。
（４）他の実施形態４
上記実施形態の底部材１０は、メダル回収箱８，４０，４１と着脱可能に構成されていたが、これには限らない。図４（ａ）に示す他の実施形態４のメダル回収箱６０のように、メダル回収箱６０は底部６５と、底体６４と、側部６２と、開口部６３とを備え、メダル回収箱８，４０，４１の底部材１０と同じ効果を有する底部６５と側部６２とが一体に形成されていてもよい。なお、メダル回収箱６０は略直方体の形状をなしている。
【００７８】
具体的には、図４（ａ）のＤ−Ｄ線における断面図である図４（ｂ）に示すように側部６２と一体に形成された底部６５は、略矩形の形状をなし、その略矩形の外形にほぼ相似して、その略中央部に略矩形の空間部６６が形成され、剛性の高い材料例えば樹脂製の材料からなっている。また、底部６５に形成された空間部６６を除いた底部６５の左右内縁には略コの字状の案内溝６８ａ，６８ｂが形成され、図４（ａ）のＥ−Ｅ線における断面図である図４（ｃ）に示すように前後内縁には略コの字状の溝部６８ｃ，６８ｄが形成されている。
【００７９】
底体６４は、蛇腹シート７０とメダル回収口７４とを有している。
この蛇腹シート７０は、柔軟な材料例えば樹脂製もしくは布製のシート材やネット材からなり、蛇腹状で折りたたみ可能に形成されている。そして、蛇腹シート７０は、蛇腹状の折れ線が底部６５の前後内縁に平行になるように配置されるが、蛇腹シート７０の左右の長さは、底部６５に形成された空間部６６の左右の長さとほぼ同じで、蛇腹シート７０の左右端と底部６５の左右内縁との間からメダルが通過できないように形成されている。また、蛇腹シート７０は略中央部に略円形の開口穴７０ａが形成され、前後方向にほぼ一定の間隔で複数の支持軸７２に軸装されている。
【００８０】
この複数の支持軸７２の両端部は底部６５に形成された案内溝６８ａ，６８ｂに嵌入されて、前後方向に移動可能な軸径に形成され、剛性の高い材料例えば鉄製の軸材からなっている。また、蛇腹シート７０の前後の端部７０ｂ，７０ｃは、底部６５に形成された略コの字状の溝部６８ｃ，６８ｄに例えば接着剤によって固定されている。そして、蛇腹シート７０の前後の長さは、蛇腹シート７０に形成された開口穴７０ａが底部６５に対して前後に移動する量に応じた長さに形成されている。
【００８１】
メダル回収口７４は、メダル回収口２４と同じ構造を有し、フランジ付きの略円筒形で、蛇腹シート７０に形成された略円形の開口穴７０ａの内径とほぼ同じ内径の筒穴７４ａが形成され、剛性を有する材料例えば樹脂製の材料からなる。そして、メダル回収口７４の筒穴７４ａを蛇腹シ−ト７０の開口穴７０ａにほぼ合わせ、メダル回収口７４のフランジ部７４ｂが蛇腹シート７０に例えば接着剤によって接合されている。メダル回収口７４の下方には筒状部７４ｃが形成され、その内周面に後述するメダル回収管（図示しない）を接続するための螺旋状の溝７４ｄが刻設されている。なお、メダル回収口７４の螺旋状の溝７４ｄは、この螺旋状の溝７４ｄにメダル回収管（図示しない）を接続した場合、メダル回収管（図示しない）の内径がメダル回収口７４に形成された筒穴７４ａの内径より若干大きくなるように形成されている。ここでは、底体６４が有する蛇腹シート７０とメダル回収口７４とは、別部材であったが、これには限らない。底体６４が有する蛇腹シート７０とメダル回収口７４とが一体に形成されていてもよい。
【００８２】
このような他の実施形態４のメダル回収箱６０によれば、スロットマシンの機種によって収納できるメダル回収箱６０の大きさが相違してもよい場合、メダル回収箱６０はメダル回収箱８，４０，４１の底部材１０と同じ効果を有する底部６５と側部６２とが一体に形成できる。また、メダル回収箱８，４０，４１に底部材１０を着脱する手間を省くことができる。
【００８３】
なお、本他の実施形態４においては、蛇腹シート７０と支持軸７２とが蛇腹状のシートに該当する。
（５）他の実施形態５
上記他の実施形態４のメダル回収箱６０においては、メダル回収箱６０は底部６５と、底体６４と、側部６２と、開口部６３とを備え、メダル回収箱８，４０，４１の底部材１０と同じ効果を有する底部６５と側部６２とが一体に形成されていた。
【００８４】
また、上記他の実施形態２のメダル回収箱の底部材１２０においては、蛇腹シート１３０を軸装している複数の支持軸１３２は、その両端部がフック状もしくはリング状に形成され、そのフック状もしくはリング状に形成された両端部が枠体１２２に設けられている案内溝１２８ａ，１２８ｂに設置された案内軸１２９ａ，１２９ｂに挿入され、前後方向へ移動可能に形成されていた。
【００８５】
そこで、上記他の実施形態４のメダル回収箱６０において、蛇腹シート７０を軸装している複数の支持軸７２は、底部６５に形成された案内溝６８ａ，６８ｂに嵌入されて前後方向へ移動可能に形成されていたが、これには限らない。他の実施形態５のメダル回収箱（図示しない）のように、蛇腹シートを軸装している複数の支持軸は、その両端部がフック状もしくはリング状に形成され、そのフック状もしくはリング状に形成された両端部が底部（図示しない）に設置された案内軸（図示しない）に挿入され、前後方向へ移動可能に形成されていてもよい。
【００８６】
このような他の実施形態５のメダル回収箱によれば、他の実施形態４のメダル回収箱６０の効果に加えて、他の実施形態２のメダル回収箱の底部材１２０の効果を奏する。
なお、本他の実施形態５においては、フック状もしくはリング状に形成された支持軸の両端部が軸受け部に該当する。
【図面の簡単な説明】
【００８７】
【図１】（ａ）は本実施形態のメダル回収箱の底部材１０の外観を示す斜視図であり、（ｂ）は（ａ）のＡ−Ａ線における断面図であり、（ｃ）は（ａ）のＢ−Ｂ線における断面図である。
【図２】（ａ）はメダル回収箱４０と底部材１０とを設けたスロットマシン１ａをその正面から見た横断面図であり、（ｂ）は、図２（ａ）のＣ−Ｃ線における断面図である。
【図３】メダル回収箱４１と底部材１０とを設けたスロットマシン１ｂをその正面から見た横断面図である。
【図４】（ａ）は他の実施形態４のメダル回収箱６０の外観を示す斜視図であり、（ｂ）は（ａ）のＤ−Ｄ線における断面図であり、（ｃ）は（ａ）のＥ−Ｅ線における断面図である。
【図５】（ａ）は他の実施形態１のメダル回収箱の底部材８０の外観を示す斜視図であり、（ｂ）は（ａ）のＦ−Ｆ線における断面図であり、（ｃ）は（ａ）のＧ−Ｇ線における断面図である。
【図６】（ａ）は他の実施形態２のメダル回収箱の底部材１２０の外観を示す斜視図であり、（ｂ）は（ａ）のＨ−Ｈ線における断面図であり、（ｃ）は（ａ）のＩ−Ｉ線における断面図である。
【図７】（ａ）はベルトコンベア式のメダル回収設備が無い遊技場にスロットマシン１が設置された場合において、スロットマシン１の内部を概略的にその正面から見た図であり、（ｂ）はベルトコンベア式のメダル回収設備が有る遊技場にスロットマシン１が設置された場合において、スロットマシン１の内部を概略的にその正面から見た図である。
【符号の説明】
【００８８】
１，１ａ，１ｂ…スロットマシン、２…メダル投入口、３…メダル投入センサ、４…メダル貯留用ホッパー、４ａ…放出口、５…回転ドラム、６…メダル払出し装置、７，８，６０，８０…メダル回収箱、９，４２，４４…筐体、９ａ，４２ａ，４４ａ…底板、９ｂ，４２ｂ，４４ｂ…開口穴、５０…メダル回収管、５２ａ，５２ｂ…レール、５４…メダル回収ベルト、１０，８０，１２０…底部材、１２，８２，１２２…枠体、６２…側部、６３…開口部、１４，６４，８４，１２４…底体、６５…底部、１６，６６，８６，１２６…空間部、２０ａ，７０ａ，９３ａ，１３０ａ…開口穴、１８ａ，１８ｂ，６８ａ，６８ｂ，８８ａ，８８ｂ，１２８ａ，１２８ｂ…案内溝、１８ｃ，１８ｄ，６８ｃ，６８ｄ，８８ｃ，８８ｄ，１２８ｃ，１２８ｄ…溝部、２０，７０，１３０…蛇腹シート、２０ｂ，２０ｃ，７０ｂ，７０ｃ，９０ａ，９６ａ，１３０ｂ，１３０ｃ…端部、２２，７２，１３２…支持軸、２４，７４，１０４，１３４…メダル回収口、２４ａ，７４ａ，１０４ａ，１３４ａ…筒穴、２４ｂ，７４ｂ，１０４ｂ，１３４ｂ…フランジ部、２４ｃ，７４ｃ，１０４ｃ，１３４ｃ…筒状部、２４ｄ，７４ｄ，１０４ｄ，１３４ｄ…溝、３０，１００，１４０…ゴムシート、４０…最小のメダル回収箱、４１…最大のメダル回収箱、４６，４８…内蔵装置、３０ａ、１００ａ，１４０ａ…矩形穴、９０，９１，９２，９３，９４，９５，９６…蛇腹板、１２９ａ，１２９ｂ…案内軸。
【図１】
2007061387.tif 000003
【図２】
2007061387.tif 000004
【図３】
2007061387.tif 000005
【図４】
2007061387.tif 000006
【図５】
2007061387.tif 000007
【図６】
2007061387.tif 000008
【図７】
2007061387.tif 000009